【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
識別情報を可変表示する複数の可変表示手段における識別情報の組み合わせの表示結果があらかじめ定められた特定表示結果となったときに遊技者にとって有利な有利状態に制御する遊技機であって、
前記複数の可変表示手段で識別情報の可変表示を実行する可変表示実行手段と、
前記可変表示実行手段が可変表示を実行しているときに所定の演出音を出力する音出力手段とを備え、
前記音出力手段は、前記可変表示実行手段が前記複数の可変表示手段における一の可変表示手段で識別情報を停止させたときに第１の音の出力を開始し、前記一の可変表示手段で識別情報を停止させた後に他の可変表示手段で識別情報を停止させたときに第２の音の出力を開始して前記第１の音と前記第２の音との重畳音の出力を行う
ことを特徴とする遊技機。
【手続補正２】
【補正対象書類名】明細書
【補正対象項目名】０００１
【補正方法】変更
【補正の内容】
【０００１】
本発明は、識別情報を可変表示する複数の可変表示手段における識別情報の組み合わせの表示結果があらかじめ定められた特定表示結果となったときに遊技者にとって有利な有利状態に制御するパチンコ機等の遊技機に関する。
【手続補正３】
【補正対象書類名】明細書
【補正対象項目名】０００４
【補正方法】変更
【補正の内容】
【０００４】
また、可変表示手段において、最終停止図柄（例えば左右中図柄のうち中図柄）となる図柄以外の図柄が、所定時間継続して、特定表示結果と一致している状態で停止、揺動、拡大縮小もしくは変形している状態、または、複数の図柄が同一図柄で同期して可変表示したり、表示図柄の位置が入れ替わっていたりして、最終結果が表示される前で特定遊技状態の発生の可能性が継続している状態をリーチ状態という。リーチ状態において行われる演出をリーチ演出という。また、リーチ状態やその様子をリーチ態様という。さらに、リーチ演出を含む可変表示をリーチ可変表示という。また、スーパーリーチ演出は、識別情報の表示結果が大当り図柄になる場合に高い割合で実行されるリーチ演出である。
【手続補正４】
【補正対象書類名】明細書
【補正対象項目名】０００８
【補正方法】変更
【補正の内容】
【０００８】
本発明は、一の可変表示手段で停止表示された識別情報と他の可変表示手段で停止表示された識別情報とに関連する態様の音出力を行って、可変表示中の遊技の興趣を向上させることができる遊技機を提供することを目的とする。
【手続補正５】
【補正対象書類名】明細書
【補正対象項目名】０００９
【補正方法】変更
【補正の内容】
【０００９】
（１）本発明による遊技機は、識別情報（例えば、演出図柄）を可変表示する複数の可変表示手段（例えば、図柄表示エリア９Ｌ，９Ｃ，９Ｌ）における識別情報の組み合わせの表示結果があらかじめ定められた特定表示結果（例えば、大当り図柄）となったときに遊技者にとって有利な有利状態（例えば、大当り遊技状態）に制御する遊技機であって、複数の可変表示手段で識別情報の可変表示を実行する可変表示実行手段（例えば、演出制御用マイクロコンピュータ１００において、ステップＳ８４４〜Ｓ８４６の処理を実行する部分）と、可変表示実行手段が可変表示を実行しているときに所定の演出音を出力する音出力手段（例えば、音声合成用ＩＣ７０３およびスピーカ２７Ｒ，２７Ｌ））とを備え、音出力手段は、可変表示実行手段が複数の可変表示手段における一の可変表示手段（例えば、図柄表示エリア９Ｌ）で識別情報を停止させたときに第１の音の出力を開始し、一の可変表示手段で識別情報を停止させた後に他の可変表示手段（例えば、図柄表示エリア９Ｒ）で識別情報を停止させたときに第２の音の出力を開始して第１の音と第２の音との重畳音の出力を行う（図３１参照）ことを特徴とする。
そのような構成によれば、一の可変表示手段で停止表示された識別情報と他の可変表示手段で停止表示された識別情報とに関連する態様の音出力により、可変表示中の遊技の興趣を向上させることができる。
【手続補正６】
【補正対象書類名】明細書
【補正対象項目名】００１１
【補正方法】変更
【補正の内容】
【００１１】
（３）上記の（１）または（２）の遊技機において、音出力手段は、複数の態様の重畳音（例えば、第１の音＋第２の音、第１の音＋第３の音）のいずれかを出力し、可変表示実行手段が他の可変表示手段で識別情報を停止させた後、音出力手段が出力する重畳音の態様に対応する態様でリーチ演出を実行するリーチ演出手段（例えば、演出制御用マイクロコンピュータ１００において、ステップＳ８３１の処理でリーチ変動パターンに応じた選択したプロセステーブルにもとづいて、Ｓ８３２〜Ｓ８３３，Ｓ８４２，Ｓ８４３，Ｓ８４９の処理を実行する部分）を備えていてもよい。
そのような構成によれば、リーチ状態になったときの前と後に出力される音に関連性を持たせることができ、可変表示中の遊技の興趣をさらに向上させることができる。
【手続補正７】
【補正対象書類名】明細書
【補正対象項目名】００１２
【補正方法】変更
【補正の内容】
【００１２】
（４）上記の（１）〜（３）の遊技機において、遊技媒体が始動領域（例えば、第１始動入賞口１３や第２始動入賞口１４）を通過した後に、可変表示の開始条件（可変表示および大当り遊技が実行されない状態で、合算保留記憶数が０でないとき）が成立したことにもとづいて識別情報の可変表示を行う遊技機であって、始動領域を遊技媒体が通過したが未だ可変表示の開始条件が成立していない可変表示の表示結果を特定表示結果とするか否を決定するための数値データ（例えば、大当り判定用乱数）を、所定の上限数を限度に保留記憶として記憶する保留記憶手段（例えば、保留記憶バッファ）と、保留記憶手段に記憶されている保留記憶にもとづいて、可変表示手段に導出表示される表示結果が特定表示結果となるか否かを判定する開始条件成立前判定手段（例えば、遊技制御用マイクロコンピュータ５６０において、ステップＳ２１５Ａ，Ｓ２１５Ｂの処理を実行する部分）と、開始条件が成立したときに、保留記憶手段に記憶されている保留記憶にもとづいて、可変表示手段に導出表示される表示結果を特定表示結果にするか否かを決定する開始条件成立時決定手段（例えば、遊技制御用マイクロコンピュータ５６０において、ステップＳ６１の処理を実行する部分）と、開始条件成立時判定手段の判定結果にもとづいて、特定遊技状態に制御されることを予告する予告演出を実行する予告演出実行手段（例えば、演出制御用マイクロコンピュータ１００において、表示結果指定コマンドの内容にもとづいて、通常予告を実行する部分：変形例参照）と、開始条件成立前判定手段の判定結果にもとづいて、複数回の可変表示に亘って所定の演出が連続して行われる連続演出を実行する連続演出実行手段（例えば、演出制御用マイクロコンピュータ１００において、ステップＳ６００４の処理の結果にもとづいて、先読み予告を実行する部分：変形例参照）とを備え、連続演出は、第１連続演出（例えば、「保留予告」）と、当該第１連続演出が実行されるときに比べて、識別情報の表示結果が特定表示結果になる頻度が高い第２連続演出（例えば、「キャラクタ予告」）とを含み、予告演出実行手段は、演出態様が異なる複数の予告演出（例えば、第１予告、第２予告）のいずれかを実行し、連続演出実行手段は、第１連続演出を開始した後、予告演出実行手段により実行されている予告演出の演出態様の違いに応じて異なる割合で、第１連続演出の中途から第２連続演出に移行させる連続演出態様変更手段を含む（図４３参照）ように構成されていてもよい。
そのような構成によれば、第１連続演出よりも特定表示結果の期待度が高い第２連続演出が開始されなくても、遊技者を、第２連続演出に期待させることができる。